(57)【特許請求の範囲】
【請求項１】
電子部品（２０４）の実装された電子基板（２００）と、
板面方向に沿って挿入された前記電子基板を保持するカバー（１００）とを備えた電子機器であって、
前記カバーは、平板状の平板部（１１）と、
前記平板部から突出しているとともに、前記平板部の平面方向に対して傾斜した姿勢で延出している第１ガイド部（１２）と、
前記第１ガイド部よりも前記平板部から離れて位置し、前記平面方向に対して傾斜した姿勢にて、前記平面方向における前記第１ガイド部の延出する方向とは反対方向に向かって延出し、前記電子基板を挿入可能な挿入口（１８）を前記第１ガイド部との間に形成している第２ガイド部（１３２）を備え、
前記第１ガイド部と前記第２ガイド部は、前記平面方向において互いにずれて配置され、前記第２ガイド部は、前記第１ガイド部よりも前記電子基板の挿入される挿入方向に位置しており、
前記平板部には、電波の送受信を行うアンテナが配置されるアンテナ台座部（１５）が形成されており、
前記アンテナ台座部は、前記第２ガイド部よりも前記挿入方向に配置されていることを特徴とする電子機器。
【請求項２】
前記電子基板には、前記電子基板の厚さ方向に貫通するとともに、前記第１ガイド部を配置可能な貫通部（２０５）が形成されていることを特徴とする請求項１に記載の電子機器。
【請求項３】
前記電子基板を前記カバーに保持した状態において前記平板部と対向する前記電子基板の裏面には、複数の裏面電子部品（２０１ａ）が前記電子部品として実装され、
前記カバーの法線方向における前記第１ガイド部の突出高さは、複数の前記裏面電子部品のうち前記法線方向における高さが最も高い最大電子部品の高さよりも大きいことを特徴とする請求項１又は２に記載の電子機器。
【請求項４】
前記カバーは、前記挿入方向に沿った仮想軸線の両側に設けられた一対の第３ガイド部（１４）を備え、
各前記第３ガイド部は、前記平板部から前記カバーの法線方向に立設する立設部（１４１）と、前記立設部と連続して形成され、前記カバーの法線方向に沿って前記平板部から離れる方向に行くにしたがって互いの距離が拡大する傾斜部（１４２）をそれぞれ備えることを特徴とする請求項１乃至３のいずれか１項に記載の電子機器。
【請求項５】
前記カバーは、前記カバーの法線方向への前記電子基板の移動を規制する規制部（１６）を備え、
前記規制部は、前記平板部における前記挿入方向の端部（１１ａ）に形成されていることを特徴とする請求項１乃至４のいずれか１項に記載の電子機器。
【請求項６】
前記電子基板には、小型電子部品（２０４ａ）と、前記小型電子部品よりも体格の大きい大型電子部品（２０４ｂ）とが前記電子部品として実装され、
前記電子基板が前記カバーに保持された状態において、前記第１ガイド部は、前記大型電子部品よりも前記挿入方向に配置されていることを特徴とする請求項１乃至５のいずれか１項に記載の電子機器。
【発明の詳細な説明】
【技術分野】
【０００１】
本発明は、電子基板をカバーに保持してなる電子機器に関する。
【背景技術】
【０００２】
カバーに電子基板を組み付ける際に、電子基板上に実装された電子部品がカバーに干渉しないように注意する必要がある。そのため、電子部品とカバーとの干渉を抑制する機構を備えた電子機器が求められている。
【０００３】
たとえば、特許文献１に記載のプリント基板固定構造は、プリント基板を固定する被固定体にテーパ形状の一対の爪が形成されている。そして、一対の爪は、被固定体の法線方向に互いに対向するように設けられており、プリント基板は、両爪の間の溝にスライド挿入される。組み付け時における被固定体と操作部品との干渉を防止できるように一対の爪を設けることで、製造者は、プリント基板を溝にスライド挿入するだけで被固定体と操作部品とを干渉させることなく、プリント基板を組み付けることが可能となる。
【先行技術文献】
【特許文献】
【０００４】
【特許文献１】特開平４−３６３０９８号公報
【発明の概要】
【発明が解決しようとする課題】
【０００５】
しかし、特許文献１に記載の電子機器は、被固定体の法線方向にテーパ形状の一対の爪が対向配置されている。そのため、図１７に示すように、一対の爪の間の溝にプリント基板を挿入する際の挿入方向は、一対の爪が対向する方向と直交する方向、つまり被固定体の平面方向に限定される。その結果、多様な方向からのプリント基板の挿入は、爪によって制限されるという問題がある。
【０００６】
本発明は、上記問題点に鑑みてなされたものであり、多様な方向から電子基板を挿入することのできる電子機器を提供することを目的とする。
【課題を解決するための手段】
【０００７】
本発明のひとつである電子機器は、電子部品（２０４）の実装された電子基板（２００）と、板面方向に沿って挿入された電子基板を保持するカバー（１００）とを備えた電子機器であって、カバーは、平板状の平板部（１１）と、平板部から突出しているとともに、平板部の平面方向に対して傾斜した姿勢で延出している第１ガイド部（１２）と、第１ガイド部よりも平板部から離れて位置し、平面方向に対して傾斜した姿勢にて、平面方向における第１ガイド部の延出する方向とは反対方向に向かって延出し、電子基板を挿入可能な挿入口（１８）を第１ガイド部との間に形成している第２ガイド部（１３２）を備え、
第１ガイド部と第２ガイド部は、平面方向において互いにずれて配置され、第２ガイド部は、第１ガイド部よりも電子基板の挿入される挿入方向に位置しており、平板部には、電波の送受信を行うアンテナが配置されるアンテナ台座部（１５）が形成されており、アンテナ台座部は、第２ガイド部よりも挿入方向に配置されていることを特徴とする。
【０００８】
本発明のひとつである電子機器によれば、第１ガイド部および第２ガイド部は、平板部の平面方向に対して傾斜して形成されており、電子基板の挿入される方向にみたときに、第１ガイド部、第２ガイド部の順番で配置されている。そのため、たとえば板面方向に沿って挿入した電子基板をカバーに保持させる際に、第１ガイド部および第２ガイド部は、ガイドの役割を果たす。その結果、第１ガイド部および第２ガイド部の間に電子基板を挿入する工程をスムーズに行うことができる。また、電子基板を挿入可能な挿入口を形成している第１ガイド部と第２ガイド部は、平面方向において互いにずれて配置されている。そのため、第１ガイド部と第２ガイド部とが平面方向において同じ位置に配置されている場合と比較して、挿入口の間口は広くなる。以上より、電子基板を挿入口に挿入する挿入方向は、平面方向に限られない。したがって、本発明によれば、多様な方向から電子基板を挿入可能な電子機器を提供することができる。
【０００９】
なお、特許請求の範囲における括弧内の符号は、記載内容の理解を容易にすべく、後述する実施形態において対応する構成を例示するものに留まり、発明の内容を限定することを意図したものではない。
【図面の簡単な説明】
【００１０】
【図１】カバーの斜視図である。
【図２】第１ガイド部および第２ガイド部の部分の拡大図である。
【図３】電子基板の斜視図である。
【図４】電子基板をカバーに組み付けた状態における上面図である。
【図５】ケースの斜視図である。
【図６】カバーの横方向から見た側面図である。
【図７】規制部の拡大図である。
【図８】基板挿入工程の説明図である。
【図９】角度調整工程の説明図である。
【図１０】基板反転工程の説明図である。
【図１１】ケース収容工程の説明図である。
【図１２】他形態における電子基板の挿入角度および位置を示す図である。
【図１３】他形態における電子基板の挿入角度および位置を示す図である。
【図１４】他形態における、第１ガイド部および第２ガイド部の部分の拡大図である。
【図１５】他形態における、第１ガイド部および第２ガイド部の部分の拡大図である。
【図１６】他形態における、第１ガイド部および第２ガイド部の部分の拡大図である。
【図１７】従来技術の説明図である。
【発明を実施するための形態】
【００１１】
以下、本発明の複数の実施形態を、図面を参照して説明する。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１２】
（第１実施形態）
以下、本発明の第１実施形態について、図に基づき説明する。
【００１３】
本実施形態における電子機器１０は、金属製のカバー１００、電子基板２００、金属製のケース３００等からなる。図１に示すように、カバー１００は、平板部１１、一対の第１ガイド部１２、一対の第１立壁部１３、一対の第３ガイド部１４、２つのアンテナ台座部１５、規制部１６、係止壁１７を備えている。カバー１００の横方向の幅は、電子基板２００の横方向の幅よりもわずかに大きくなるように設定されている。なお、図１における奥行き方向および横方向がカバー１００の平面方向である。また、高さ方向が、カバー１００の法線方向である。
【００１４】
平板部１１は、略平板状であり、高さ方向に所定の厚みを有している。平板部１１は、高さ方向から見たときに略正方形状となっている。平板部１１は金属製である。平板部１１は、底面部１１１と底上げ縁部１１２を備えている。底面部１１１は底上げ縁部１１２よりもカバー１００の内側に配置されている。底面部１１１は高さ方向とは反対の方向に向かって、底上げ縁部１１２から所定の長さだけ凹んでいる。所定の長さは、カバー１００に電子基板２００を組み付けた状態において、底面部１１１と対向する電子基板２００の裏面２０１に実装された裏面電子部品２０１ａが底面部１１１と接触しない程度の長さとして設定される。底上げ縁部１１２の４隅には、カバー締結孔１１３が形成されている。カバー締結孔１１３を貫通する締結部材は、カバー１００、電子基板２００、およびケース３００を保持している。カバー締結孔１１３の内径は、電子基板２００に形成された基板締結孔２０２の内径とほぼ同じ大きさである（図４参照）。底上げ縁部１１２は、底面部１１１の周囲を囲うように、底面部１１１と連続して形成されており、底面部１１１よりも高さ方向に底上げされている。
【００１５】
一対の第１ガイド部１２は、底上げ縁部１１２における横方向の両端に１つずつ形成されている。第１ガイド部１２は、底上げ縁部１１２から高さ方向に突出している。具体的には、図２に示すように、第１ガイド部１２は高さ方向に山形に突出して形成されている。第１ガイド部１２において底上げ縁部１１２からの立ち上がり部分は滑らかになっている。一対の第１ガイド部１２は、平板部１１に対して傾斜した姿勢で延出している。一対の第１ガイド部１２は、奥行き方向において、同じ位置に形成されている。
【００１６】
一対の第１立壁部１３は、一対の第１ガイド部１２よりも奥行き方向に配置され、底上げ縁部１１２の横方向の両端に形成されている。一対の第１立壁部１３は、横方向から見たときに、互いに同じ位置に配置されている。一対の第１立壁部１３は、底上げ縁部１１２から高さ方向に立設するように形成されており、底上げ縁部１１２と連続している。各第１立壁部１３の高さは、第１ガイド部１２の高さ方向の高さよりも大きい（図６参照）。一対の第１立壁部１３は、底面部１１１を高さ方向に投影した投影空間外に配置されている。
【００１７】
第１立壁部１３と連続するように、折り曲げ部１３１および第２ガイド部１３２が形成されている。折り曲げ部１３１および第２ガイド部１３２は、第１立壁部１３から延出している板状部分を折り曲げることによって形成されている。折り曲げ部１３１は、第１立壁部１３において高さ方向に位置する端部から、反奥行き方向に連続して形成されている。折り曲げ部１３１は反奥行き方向に所定長さを有している。
【００１８】
第２ガイド部１３２は、折り曲げ部１３１からさらに連続して形成されている。第２ガイド部１３２は、折り曲げ部１３１の反奥行き方向の端部から高さ方向へ傾斜した姿勢で延出している。第２ガイド部１３２は、奥行き方向における第１ガイド部の延出する延出方向とは反対方向に向かって延出している。第２ガイド部１３２と折り曲げ部１３１の接続部分は滑らかになっている。第２ガイド部１３２は第１ガイド部１２よりも奥行き方向側に配置されている。具体的には、反奥行き方向に延出する第２ガイド部１３２の先端部と、第１ガイド部１２の奥側の端部は、奥行き方向において互いの位置を揃えられている。第２ガイド部１３２は、第１ガイド部１２よりも平板部１１から離れて位置している。第２ガイド部１３２と第１ガイド部１２は、奥行き方向において互いにずれて配置されている。第２ガイド部１３２は、第１ガイド部１２よりも奥行き方向に位置している。第１ガイド部１２と第２ガイド部１３２の間には、電子基板２００を挿入可能な隙間である挿入口１８が形成される。
【００１９】
一対の第３ガイド部１４は、一対の第１ガイド部１２よりも反奥行き方向に配置され、底上げ縁部１１２の横方向の両端に１つずつ形成されている。一対の第３ガイド部１４は、それぞれ立設部１４１と傾斜部１４２を備えている。立設部１４１は、底上げ縁部１１２と連続して形成され、高さ方向に延びる壁である。立設部１４１の高さ方向の高さは、第１立壁部１３の高さ方向の高さよりも大きい（図６参照）。一対の第３ガイド部１４の立設部１４１の間隔は、電子基板２００の横方向の幅よりもわずかに大きくなるように設定されている。こうした設定により、立設部１４１は、電子基板２００の横方向の移動を規制できる。
【００２０】
一対の第３ガイド部１４がそれぞれ備える傾斜部１４２は、立設部１４１と連続して形成されている。一対の傾斜部１４２における互いの距離は、高さ方向に行くにしたがって大きくなるように設定されている。つまり、傾斜部１４２は、高さ方向に行くにしたがって、カバー１００の外側に突出するように形成されている。横方向において、各傾斜部１４２の外縁は、底上げ縁部１１２の外縁よりも、カバー外側に突出している。
【００２１】
アンテナ台座部１５として、第１アンテナ台座部１５ａおよび第２アンテナ台座部１５ｂがカバー１００には設けられている。第１アンテナ台座部１５ａおよび第２アンテナ台座部１５ｂは、底上げ縁部１１２と連続している。第１アンテナ台座部１５ａおよび第２アンテナ台座部１５ｂは、各第２ガイド部１３２よりも奥行き方向に配置されている。第１アンテナ台座部１５ａおよび第２アンテナ台座部１５ｂは、それぞれ第２立壁部１５１およびアンテナ配置部１５２を備えている。
【００２２】
第１アンテナ台座部１５ａは、底面部１１１の横方向に位置する底上げ縁部１１２と連続しており、第１立壁部１３よりも奥行き方向に配置されている。第１アンテナ台座部１５ａの第２立壁部１５１ａは、底上げ縁部１１２から高さ方向に突出する壁である。第２立壁部１５１の高さ方向の高さは、立設部１４１の高さ方向の高さよりも大きい（図６参照）。第１アンテナ台座部１５ａのアンテナ配置部１５２ａは、第２立壁部１５１の高さ方向の端部と連続して形成されている。アンテナ配置部１５２ａは、第２立壁部１５１ａからカバーの内側に延びる部分であり、横方向に所定の長さを有している。アンテナ配置部１５２ａにおいて高さ方向に位置する上面には、電子機器１０と他の部品との通信用のアンテナが配置される。
【００２３】
第２アンテナ台座部１５ｂは、底面部１１１の奥行き方向に位置する底上げ縁部１１２と連続している。第２アンテナ台座部１５ｂのアンテナ配置部１５２ｂは、第２立壁部１５１ｂからカバーの内部に延びる部分であり、奥行き方向に所定の長さを有している。アンテナ配置部１５２ｂにおいて高さ方向に位置する上面には、アンテナ配置部１５２ａと同様にアンテナが配置される。
【００２４】
係止壁１７は、横方向において底面部１１１を挟んで位置する両側の底上げ縁部１１２のうちで、第１アンテナ台座部１５ａが形成されている側とは反対側の底上げ縁部１１２に配置されている。係止壁１７は、電子基板２００を係止する。横方向における係止壁１７と第１アンテナ台座部１５ａの間隔は、電子基板２００の横方向の幅よりもわずかに大きい程度に設定されている。係止壁１７と第１アンテナ台座部１５ａの第２立壁部１５１ａによって、電子基板２００の横方向の移動が規制されるようになっている。つまり、電子基板２００を奥行き方向に奥側と手前側とに二分したときに、第１アンテナ台座部１５ａが形成されている奥側は、係止壁１７と第１アンテナ台座部１５ａの第２立壁部１５１ａによって横方向の移動を規制される。一方、手前側は、一対の立設部１４１によって横方向の移動を規制される。
【００２５】
規制部１６は、電子基板２００の高さ方向への移動を規制する機能を有する。規制部１６は、平板部１１の奥行き方向の端部１１ａ、具体的には底面部１１１の奥行き方向に位置する底上げ縁部１１２と連続して形成されている。規制部１６は、横方向において第２アンテナ台座部１５ｂに隣接している。規制部１６は、第２アンテナ台座部１５ｂの第２立壁部１５１ｂよりも反奥行き方向に形成されている。規制部１６は、規制壁部１６１および掛止部１６２を有している。規制壁部１６１は、端部１１ａから高さ方向に延びている。掛止部１６２は、規制壁部１６１と連続して形成されており、規制壁部１６１に対して横方向に折れ曲がっている。カバー１００に電子基板２００が組み付けられた状態で、電子基板２００が高さ方向に移動しようとすると、掛止部１６２は、電子基板２００に接触し、それ以上移動することを規制する。
【００２６】
ここまで説明したカバー１００では、図６に示すように、奥行き方向に行くにしたがって、第３ガイド部１４、第１ガイド部１２、第２ガイド部１３２、第１アンテナ台座部１５ａ、規制部１６が、この順番で配置されている。
【００２７】
次に、図３に基づき、電子基板２００の構成について説明する。電子基板２００は、高さ方向に厚みをもった基板であり、略正方形状となっている。電子基板２００の外形は、カバー１００の外形よりもわずかに小さい。電子基板２００の両面のうち、カバー１００に保持された状態において、平板部１１と対向する一方が電子基板２００の裏面２０１であり、高さ方向を向く他方が表面２０３である。電子基板２００の表面２０３と裏面２０１の双方に電子部品２０４が実装されている。電子基板２００の４隅には、カバー１００、電子基板２００、およびケース３００を一体に保持する締結部材を貫通させる基板締結孔２０２が形成されている。基板締結孔２０２は高さ方向に電子基板２００を貫通している。電子基板２００をカバー１００に組み付けた状態において、基板締結孔２０２とカバー締結孔１１３とは、同軸上に位置するように形成されている（図４参照）。
【００２８】
電子基板２００には、小型電子部品２０４ａおよび大型電子部品２０４ｂが電子部品２０４として実装されている。小型電子部品２０４ａは、高さ方向に沿った実装面からの高さが比較的小さい。大型電子部品２０４ｂの高さは、小型電子部品２０４ａの高さよりも大きい。大型電子部品２０４ｂは、小型電子部品２０４ａよりも反奥行き方向に集中して配置されている。また、大型電子部品２０４ｂのなかで最も体格の大きい最大電子部品２０４ｃは、第１ガイド部１２よりも反奥行き方向に配置されている。
【００２９】
なお、ここでいう集中とは、電子基板２００の手前側に、奥側よりも多く大型電子部品２０４ｂが配置されている状況をいう。また、第２立壁部１５１の高さ方向の高さよりも小さい電子部品２０４が、小型電子部品２０４ａとして定義される。
【００３０】
電子部品２０４のうち、裏面２０１に実装された裏面電子部品２０１ａのなかで最も高さ方向の高さが大きい裏面電子部品２０１ａの高さｔ１よりも、第１ガイド部１２の高さ方向の高さｔ２は大きくなるように設定されている（図９参照）。電子基板２００をカバー１００に組み付けた状態において、裏面電子部品２０１ａは、底上げ縁部１１２と底面部１１１によって形成される空間に収まっている。いわば、底面部１１１は、裏面電子部品２０１ａを収容するための空間を形成する役割を担っている。
【００３１】
図３に示すように、電子基板２００の横方向の両端には、電子基板２００の内側に切り欠いた貫通部２０５が形成されている。貫通部２０５は、高さ方向に電子基板２００を貫通するように形成されており、横方向側面に開口している。各貫通部２０５は、奥行き方向において互いに同じ位置に形成されている。図４に示すように、電子基板２００をカバー１００に組み付けた状態において、各貫通部２０５には、第１ガイド部１２がそれぞれ配置される。貫通部２０５の切欠いた部分の横方向の幅は、第１ガイド部１２の横方向の幅よりもわずかに大きい。
【００３２】
電子基板２００の奥行き方向の端部には、切欠き溝２０６が形成されている。切欠き溝２０６は、高さ方向に電子基板２００を貫通するように形成されており、電子基板２００の内側に切り欠いてある。電子基板２００をカバー１００に組み付けた状態において、第２アンテナ台座部１５ｂの第２立壁部１５１ｂおよび規制部１６が切欠き溝２０６に配置される（図４、図７参照）。電子基板２００をカバー１００に組み付けた状態において、横方向にて切欠き溝２０６に臨む電子基板２００の端部２０６ａは、横方向に延びる掛止部１６２の先端部よりも反横方向にある。つまり、掛止部１６２は、電子基板２００の端部の高さ方向に先端部を位置させている（図７参照）。
【００３３】
ケース３００は、略直方体状の筐体であり、ケース底板３０１と４つのケース側壁３０２を備えている。ケース３００は、４つのケース側壁３０２によって囲まれて、高さ方向に開放された開口を形成している（図５参照）。ケース３００の４隅には、ケース３００を他の部品に固定するための固定部材が挿通される挿通孔３０４が形成されている。挿通孔３０４よりもケース３００の内側寄りの部分には、ケース締結孔３０３が４つ形成されている。ケース締結孔３０３の内部は、締結部材と嵌合するような形状に加工されており、ナットの役割を果たす。ケース底板３０１には、略格子状に、高さ方向に突出するリブが形成されている。反奥行き方向のケース側壁３０２には、高さ方向に開口する切欠き部が形成されている。切欠き部には、電子基板２００の反奥行き方向側の端部に配置された電子部品２０４の一部が配置される。
【００３４】
電子機器１０の製造工程について説明する。まず、図８に示すように、電子基板２００は、その板面方向をカバー１００に対して所定の角度θ１で傾斜させた状態で、奥行き方向に向かって第１ガイド部１２と第２ガイド部１３２の間に挿入される（基板挿入工程Ｓ１）。本実施形態では、奥行き方向が電子基板２００を挿入する挿入方向と概ね同一となる。ここで、所定の角度とは、電子基板２００が第１ガイド部１２にも第２ガイド部１３２にも接触しないような挿入角度として設定されるものである。電子基板２００は、反奥行き方向側の端部を機械等で把持されながら挿入される。なお、挿入方法は機械等による把持に限られず、たとえば電子基板２００を奥行き方向に押圧させてもよい。
【００３５】
基板挿入工程Ｓ１において、電子基板２００とカバー１００の角度が所定値以上となるほど電子基板２００が傾斜している場合には、電子基板２００は、平板部１１に対して高さ方向上側から接近することとなる。このとき、電子基板２００は、２つの傾斜部１４２によってガイドされながら、電子基板２００の挿入方向に沿った仮想軸線の両側に設けられた第３ガイド部１４の間に配置される。すると、基板挿入工程Ｓ１の開始時に、立設部１４１の間への正確な電子基板２００の位置決めは、不要となる。故に、高さ方向上側からでも電子基板２００の挿入が容易となる。そして、基板挿入工程Ｓ１の後、アンテナ台座部１５にアンテナ等の電子部品が配置される。
【００３６】
次に、図９に示すように、奥行き方向に電子基板２００をスライドしていく途中で、電子基板２００のカバー１００に対する角度がθ１よりも小さい角度θ２に調整される（角度調整工程Ｓ２）。このとき、電子基板２００は第１ガイド部１２の高さ方向の端部によって支持されるようにする。すると、第１ガイド部１２の高さ方向の端部が支点となって回転容易となるため、角度調整が容易となる。そして、図４、図７に示すように、電子基板２００の切欠き溝２０６が規制部１６に当接するまで電子基板２００を挿入しきった状態で一連の挿入工程は終了する。
【００３７】
次に、基板挿入工程Ｓ１において、手前側の電子基板２００の端部とカバー１００を一体に把持し直し、図１０に示すように、電子基板２００とカバー１００を一体にして反転させる（基板反転工程Ｓ３）。このとき、電子基板２００の奥側は、規制部１６によって高さ方向の移動を規制されている。一方、電子基板２００の手前側は、機械等で把持されることによって高さ方向の移動を規制されている。
【００３８】
そして、反転させた状態の電子基板２００およびカバー１００を、ケース３００に収容する（ケース収容工程Ｓ４）。このとき、高さ方向において、基板締結孔２０２、カバー締結孔１１３、ケース締結孔３０３の各位置を同軸上に配置させた状態で、各締結孔に締結部材を挿入し、電子基板２００、カバー１００、およびケース３００を一体化させて電子機器１０の製造は完了する。（図１１参照）。
【００３９】
次に、本実施形態によって得られる効果について説明する。
【００４０】
（１）第１ガイド部１２および第２ガイド部１３２は、平板部１１に対して傾斜して形成されており、奥行き方向にみたときに、第１ガイド部１２、第２ガイド部１３２の順番で配置されている。そのため、たとえば奥行き方向に平行な角度で電子基板２００をカバー１００に保持する際に、第１ガイド部１２および第２ガイド部１３２がガイドの役割を果たす。その結果、電子基板２００は、第１ガイド部１２および第２ガイド部１３２の間の挿入口１８にスムーズに挿入される。また、電子基板２００を挿入可能な挿入口１８を形成している第１ガイド部１２と第２ガイド部１３２は、奥行き方向において互いにずれて配置されている。そのため、第１ガイド部１２と第２ガイド部１３２とが奥行き方向において同じ位置に配置されている場合と比較して、挿入口１８の間口は広くなる。以上により、電子基板２００を挿入口１８に挿入する挿入方向は、奥行き方向に平行な角度に限られない。したがって、本実施形態によれば、多様な方向から電子基板２００を挿入可能な電子機器１０を提供することができる。
【００４１】
（２）第１ガイド部１２と第２ガイド部１３２の間に電子基板２００を挿入していくことで電子基板２００をカバー１００に保持する場合、電子基板２００に貫通部２０５が形成されているため、電子基板２００が不安定になりにくい。具体的には、カバー１００に電子基板２００が保持された状態において、第１ガイド部１２を貫通部２０５に配置可能なため、電子基板２００が第１ガイド部１２の先端にて支持されて平板部１１から浮いた状態とならない。そのため、電子基板２００をカバー１００に安定して保持することができる。
【００４２】
（３）電子部品２０４のうち、裏面２０１に実装された裏面電子部品２０１ａのなかで最も高さ方向の高さが大きい裏面電子部品２０１ａの高さよりも、第１ガイド部１２の高さ方向の高さは大きくなるように設定されている。そのため、電子機器１０の製造過程において、電子基板２００をスライド挿入する際、裏面電子部品２０１ａがカバー１００の平板部１１に接触する虞がない。また、裏面２０１に実装された裏面電子部品２０１ａが底面部１１１と接触しないよう、底面部１１１は、底上げ縁部１１２よりも所定の長さだけ凹んでいる。そのため、電子基板２００をカバー１００に組み付けた状態（図４の状態）において、裏面電子部品２０１ａがカバー１００に接触する虞がない。
【００４３】
（４）電子基板２００とカバー１００の角度が所定値以上となるほど電子基板２００が傾斜している場合には、電子基板２００は、平板部１１に対して上側から接近することとなる。本実施形態のように、平板部１１から遠ざかるにしたがって互いの距離が拡大する傾斜部１４２は、上側から平板部１１に接近する電子基板２００をガイドすることができる。よって、組み付け性の向上が図れる。
【００４４】
（５）規制部１６は、カバー１００の奥行き方向の端部１１ａ、具体的には底上げ縁部１１２と連続して形成されている。そのため、電子基板２００の奥側は、規制部１６によって高さ方向の移動が規制されており、電子基板２００の手前側は、機械等で把持されることによって高さ方向の移動が規制される。
【００４５】
（６）電波の送受信を行うアンテナは、通常の電子部品と比べて大型化しやすい。それに伴って、アンテナの配置される第１アンテナ台座部１５ａも大型化しやすい。そのため、電子基板２００に実装された電子部品２０４と第１アンテナ台座部１５ａとの干渉が懸念される。しかし、本実施形態では、第２ガイド部１３２および第１アンテナ台座部１５ａが奥行き方向においてこの順番で配置されている。故に、電子基板２００と第１アンテナ台座部１５ａとの近接前に、第１ガイド部１２および第２ガイド部１３２は、電子基板２００をガイドすることにより、第１アンテナ台座部１５ａと電子部品２０４との干渉を防ぐ。そのため、電子基板２００を挿入する際に、電子基板２００に実装された電子部品２０４が第１アンテナ台座部１５ａに干渉することに注意する必要がないため、製造効率は向上する。
【００４６】
（７）大型電子部品２０４ｂのなかで最も体格の大きい最大電子部品２０４ｃは、第１ガイド部１２よりも反奥行き方向に配置されている。つまり、第１ガイド部１２および最大電子部品２０４ｃは、奥行き方向においてこの順番で配置されている。そして、電子基板２００を挿入する挿入方向は、奥行き方向と概ね同一である。一方、電子基板２００においては、小型電子部品２０４ａと比較してカバーと干渉しやすい最大電子部品２０４ｃが第１ガイド部１２および第２ガイド部１３２よりも、挿入方向とは逆の方向に配置されている。そのため、電子基板２００を挿入口１８に挿入する過程で、最大電子部品２０４ｃは、第１ガイド部１２および第２ガイド部１３２よりも第１アンテナ台座部１５ａ側へ行くことがない。故に、最大電子部品２０４ｃと第１アンテナ台座部１５ａとの干渉は、確実に抑制される。したがって、電子基板２００を挿入口１８に挿入する際に、最大電子部品２０４ｃとカバー１００との干渉を注意する必要がなくなるため、製造効率は向上する。
【００４７】
（８）奥行き方向に所定長さを有する折り曲げ部１３１が第１立壁部１３と第２ガイド部１３２との間に形成されている。そのため、第１立壁部１３は、第２ガイド部１３２から奥行き方向に遠ざけられる。故に、挿入口１８に電子基板２００の先端を挿入した際に、第１立壁部１３への電子基板２００の衝突が抑制される。
【００４８】
（他の実施形態）
以上、本発明の複数の実施形態について説明したが、本発明は、それらの実施形態に限定して解釈されるものではなく、本発明の要旨を逸脱しない範囲内において種々の実施形態および組み合わせに適用することができる。
【００４９】
・カバー１００が第３ガイド部１４を有していなくてもよいし、規制部１６が形成されていなくてもよい。また、アンテナ台座部１５が形成されていなくてもよい。さらに、貫通部２０５が形成されていなくてもよい。
【００５０】
・上記実施形態では、基板挿入工程Ｓ１において、第１ガイド部１２と第２ガイド部１３２の間に電子基板２００を挿入できるような角度で挿入している。しかし、図１２に示すように、第２ガイド部１３２にあたるような角度と位置で電子基板２００を挿入してもよい。この場合、電子基板２００の先端は、第２ガイド部１３２に衝突したのち、第２ガイド部１３２の有する傾斜により、第１ガイド部１２と第２ガイド部１３２の間の挿入口１８に誘導される。したがって、スムーズに電子基板２００を挿入することができる。また、図１３に示すように、電子基板２００を第１ガイド部１２に当たるような角度と位置で挿入してもよい。この場合も同様に、電子基板２００は第１ガイド部１２の傾斜により、高さ方向上側に導かれ、挿入口１８に挿入される。
【００５１】
・第２ガイド部１３２と第１ガイド部１２のそれぞれの平板部１１に対する傾斜角度θ３、θ４は同一角度でもよいし、どちらか一方の傾斜角度が他方よりも大きくなるように設定してもよい。たとえば、図１４に示すように、第２ガイド部１３２の傾斜角度θ４を、第１ガイド部１２の傾斜角度θ３よりも大きくする。そうすると、第２ガイド部１３２に電子基板２００を当てて誘導するように挿入口１８に挿入する場合に、両者の傾斜角度が同じである場合と比較して、第２ガイド部１３２に当てられる範囲が広くなる。したがって、電子基板２００を挿入する角度や位置の自由度がさらに拡大する。さらに、このような場合、第２ガイド部１３２の傾斜角度を急峻にすると、第２ガイド部１３２に電子基板２００を衝突させる際に、第２ガイド部１３２が奥行き方向にかかる押圧力で折れる虞もある。そのようなときは、図１５に示すように、第１立壁部１３と第２ガイド部１３２の高さ方向先端とを接続する梁部１３３を形成してもよい。このようにすれば、第２ガイド部１３２に加わる奥行き方向の衝突力を分散させることができ、第２ガイド部１３２が折れることを抑制できる。
【００５２】
・上記実施形態では、第１ガイド部１２と第２ガイド部１３２は高さ方向において重なっていないが、図１５に示すように、第１ガイド部１２における奥側の傾斜面の端が第２ガイド部１３２と高さ方向において重なるようにしてもよい。このようにすれば、基板挿入工程Ｓ１において、第１ガイド部１２および第２ガイド部１３２の双方に接触しないような角度で電子基板２００を挿入口１８に挿入する場合にも、第１ガイド部１２の奥側の傾斜面によってスムーズに電子基板２００を挿入することができる。
【００５３】
・上記実施形態では、立設部１４１は、底上げ縁部１１２と連続して形成され、高さ方向に延びる壁である。しかし、反奥行き方向に向かうにしたがって互いの間隔が拡大するような形状に形成されていてもよい。このようにすれば、平板部１１に対して傾斜せずに電子基板２００を挿入する場合でも、立設部１４１によって挿入をガイドすることができる。
【００５４】
・第２立壁部１５１および係止壁１７が反奥行き方向に向かうにしたがって互いの間隔が拡大するように形成されていてもよい。この場合、第２立壁部１５１および係止壁１７によって、奥行き方向への電子基板２００の挿入をガイドすることができる。
【００５５】
・図１６に示すように、第１ガイド部１２に、第１蛇腹部１２１が形成されていてもよい。第１蛇腹部１２１は、谷部１２１ａと山部１２１ｂを有している。さらに、規制部１６にも山と谷をもった第２蛇腹部１６３が形成されていることが好ましい。このようにすれば、各蛇腹部の谷の部分に電子基板２００を嵌入させることで、高さ方向の移動を規制することができる。具体的には、電子基板２００の奥行き方向端部が規制部１６に当接するまで挿入しきった状態において、電子基板２００をカバー１００側に押圧することで各蛇腹部の谷の部分に嵌入させる。さらには、各蛇腹部をばね等の弾性部材で構成することによって、押圧による谷の部分への嵌入が容易にすることもできる。
【符号の説明】
【００５６】
１０  電子機器、１１  平板部、１２  第１ガイド部、１３  第１立壁部、１４  第３ガイド部、１５  アンテナ台座部、１６  規制部、１７  係止壁、１８  挿入口、１００  カバー、１１１  底面部、１１２  底上げ縁部、１１３  カバー締結孔、１２１  第１蛇腹部、１３１  折り曲げ部、１３２  第２ガイド部、１３３  梁部、１４１  立設部、１４２  傾斜部、１５１  第２立壁部、１５２  アンテナ配置部、１６１  規制壁部、１６２  掛止部、１６３  第２蛇腹部、２００  電子基板、２０１  裏面、２０１ａ  裏面電子部品、２０２  基板締結孔、２０３  表面、２０４  電子部品、２０４ａ  小型電子部品、２０４ｂ  大型電子部品、２０４ｃ  最大電子部品、２０５  貫通部、２０６  切欠き溝、３００  ケース、３０１  ケース底板、３０２  ケース側壁、３０３  ケース締結孔、３０４  挿通孔
【図１】
0006296004.tif 000002
【図２】
0006296004.tif 000003
【図３】
0006296004.tif 000004
【図４】
0006296004.tif 000005
【図５】
0006296004.tif 000006
【図６】
0006296004.tif 000007
【図７】
0006296004.tif 000008
【図８】
0006296004.tif 000009
【図９】
0006296004.tif 000010
【図１０】
0006296004.tif 000011
【図１１】
0006296004.tif 000012
【図１２】
0006296004.tif 000013
【図１３】
0006296004.tif 000014
【図１４】
0006296004.tif 000015
【図１５】
0006296004.tif 000016
【図１６】
0006296004.tif 000017
【図１７】
0006296004.tif 000018